(57)【特許請求の範囲】
【請求項１】
遠隔位置にあるRS-232C機器である上位側機器と下位側機器間でRS-232C信号を伝送するシステムであって、
監視側の伝送中継装置と、被監視側の伝送中継装置と、前記上位側機器と前記監視側の伝送中継装置のRS-232Cポート同士をつなぐケーブルと、前記監視側の伝送中継装置と前記被監視側の伝送中継装置の延長側ポート同士をつなぐケーブルと、前記下位側機器と前記被監視側の伝送中継装置のRS-232Cポート同士をつなぐケーブルとで構成されており、
前記監視側の伝送中継装置は、
RS-232C信号とRS-422信号を相互に変換する信号変換部と、
データ信号である監視モード信号を伝送する監視状態通知部と、
前記下位側機器側のセグメントの信号状態を表示する信号状態表示部と、
を備えており、
前記被監視側の伝送中継装置は、
RS-232C信号とRS-422信号を相互に変換する信号変換部と、
前記監視側の伝送中継装置から送られた前記監視モード信号を検知した時に、前記下位側機器側のセグメントの信号状態を示すデータ信号を前記監視側の伝送中継装置へ送る信号状態通知部と、
を備えており、
前記被監視側の伝送中継装置の信号状態通知部から前記監視側の伝送中継装置へ送られる前記下位側機器側のセグメントの信号状態を示すデータ信号のデータレートの最低速度をあらかじめ規定し、その時間分のRS232Cケーブル又はRS422ケーブルのRXD信号線のデータ信号の状態であるデータマーク状態が連続した場合に接続状態であると判断することにより、接続状態を検出するようにした、
RS-232C信号遠隔伝送システム。
【請求項２】
監視側の伝送中継装置と被監視側の伝送中継装置間で伝送される制御信号であるRTS/CTS信号をシングルエンド信号で伝送すると共に、下位側機器がアクティブになったことを送受信する制御信号であるDTR/DSR信号の伝送を行わないようにした、
請求項１記載のRS-232C信号遠隔伝送システム。
【発明の詳細な説明】
【技術分野】
【０００１】
本発明は、RS-232C信号遠隔伝送システム及びそれに使用する伝送中継装置に関するものである。更に詳しくは、一方側の回線セグメントに何らかの通信障害が生じて、両RS-232C機器間で通信ができなくなった場合、他方側の回線セグメントから遠隔位置にある側の回線セグメントの信号状態の情報を取得することができるようにした、RS-232C信号遠隔伝送システム及び伝送中継装置に関する。
【背景技術】
【０００２】
シングルエンド信号(Single-ended signal)であるRS-232C信号は、伝送距離が一般的に１５ｍまでしかサポートされていないため、RS-232C信号で通信をするRS-232C機器（端末仕様機器またはモデム仕様機器）は、そのままでは、１５ｍを越える距離を隔てて通信をすることができない。
【０００３】
遠隔位置にあるRS-232C機器間でRS-232C信号を伝送する遠隔伝送システムとしては、RS-232C信号とRS-422信号を相互に変換する中継機器を使用し、伝送距離を長く設定することができる差動信号(Differential Signal)であるRS-422信号を使用して中継するシステムが既に知られている。
【０００４】
このシステムは、例えば遠隔位置にある二台のRS-232C機器の間に、RS-232C信号をRS-422信号に変換する第１の中継機器とRS-422信号をRS-232C信号に変換する第２の中継機器を配し、一方のRS-232C機器から遠隔位置にある他方のRS-232C機器へRS-232C信号の伝送を行うというものである。
なお、RS-232C信号とRS-422信号を相互に変換する中継機器（特許文献１では、「入出力インタフェース」と表記）については、特許文献１においてすでに開示されている。
【先行技術文献】
【特許文献】
【０００５】
【特許文献１】特開平５−１５８５９０
【発明の概要】
【発明が解決しようとする課題】
【０００６】
しかしながら、特許文献１に記載の中継機器と同等の機器を使用した前記のような遠隔伝送システムには次のような課題があった。
従来のシステムにおいては、第１、第２の中継機器は、RS-232C信号とRS-422信号の相互の変換を行うだけであるので、一方のRS-232C機器（上位側機器）と他方のRS-232C機器（下位側機器）では、伝送経路の回線セグメント（データが到達するネットワーク）が分かれてしまう。
【０００７】
このため、例えば、一方側の回線セグメントに何らかの通信障害が生じて、両RS-232C機器間で通信ができなくなった場合、他方側の回線セグメントからは遠隔位置にある側の回線セグメントの信号状態の情報を取得できないため、通信障害の箇所が分からない。つまり、信号状態の情報が両回線セグメント間で共有できないので、場合によってはこの特定に時間がかかり、復旧が遅れてしまうことがあった。
【０００８】
なお、前記両回線セグメントの片方を管理側とし、この管理側に、遠隔側の他の回線セグメントの信号状態の情報を得ることができる、いわゆる監視機能を持たせるには、例えばCPU(Central Processing Unit)を用いれば実現できる。しかし、この方法では、CPUで伝送信号を一旦バッファリングするために、処理に遅延時間が発生してしまい、正常な制御が実現できないおそれがあった。
【０００９】
また、信号の状態を監視する一般的な方法としては、LED(Light Emitting Diode)を点灯、点滅又は消灯させて行う方法があるが、通常のRS-232C機器では、データマーク「１」状態時の信号の検出を行うだけであったために、データ通信状態以外（アイドル状態）の接続状態の確認（検出）は困難であった。
【００１０】
また、RS-232Cでは、ハードウエアフロー制御のために、データ信号線の他に「CTS」(Clear to Send)と「RTS」(Request to Send)という２本の制御信号線を使用するようになっており、さらに差動信号を伝送する中継機器を使用してハードウエアフロー制御を実現しようとすると、使用する制御信号線が増大してしまうため、中継機器間のケーブルとしては、一般的なLANケーブル（UTPケーブル:Unshielded Twisted Pair Cable:４対）は使用できなかった。
【００１１】
（本発明の目的）
本発明の目的は、遠隔位置にあるRS-232C機器間で中継機器を介在させてRS-232C信号を伝送するシステムであって、一方側の回線セグメントに何らかの通信障害が生じて、両RS-232C機器間で通信ができなくなった場合、他方側の回線セグメントから遠隔位置にある側の回線セグメントの信号状態の情報を取得することができるようにした、RS-232C信号遠隔伝送システム及びそれに使用する伝送中継装置を提供することである。
【課題を解決するための手段】
【００１２】
上記課題を解決するために本発明が講じた手段は次のとおりである。
本発明は、
遠隔位置にあるRS-232C機器である上位側機器と下位側機器間でRS-232C信号を伝送するシステムであって、
監視側の伝送中継装置と、被監視側の伝送中継装置と、前記上位側機器と前記監視側の伝送中継装置のRS-232Cポート同士をつなぐケーブルと、前記監視側の伝送中継装置と前記被監視側の伝送中継装置の延長側ポート同士をつなぐケーブルと、前記下位側機器と前記被監視側の伝送中継装置のRS-232Cポート同士をつなぐケーブルとで構成されており、
前記監視側の伝送中継装置は、
RS-232C信号とRS-422信号を相互に変換する信号変換部と、
データ信号である監視モード信号を伝送する監視状態通知部と、
前記下位側機器側のセグメントの信号状態を表示する信号状態表示部と、
を備えており、
前記被監視側の伝送中継装置は、
RS-232C信号とRS-422信号を相互に変換する信号変換部と、
前記監視側の伝送中継装置から送られた前記監視モード信号を検知した時に、前記下位側機器側のセグメントの信号状態を示すデータ信号を前記監視側の伝送中継装置へ送る信号状態通知部と、
を備えており、
前記被監視側の伝送中継装置の信号状態通知部から前記監視側の伝送中継装置へ送られる前記下位側機器側のセグメントの信号状態を示すデータ信号のデータレートの最低速度をあらかじめ規定し、その時間分のRS232Cケーブル又はRS422ケーブルのRXD信号線のデータ信号の状態であるデータマーク状態が連続した場合に接続状態であると判断することにより、接続状態を検出するようにした、
RS-232C信号遠隔伝送システムである。
【００１３】
本発明は、
監視側の伝送中継装置と被監視側の伝送中継装置間で伝送される制御信号であるRTS/CTS信号をシングルエンド信号で伝送すると共に、下位側機器がアクティブになったことを送受信する制御信号であるDTR/DSR信号の伝送を行わないようにした、
請求項１記載のRS-232C信号遠隔伝送システムである。
【００１４】
（削除）
【００１５】
（削除）
【００１６】
（削除）
【００１７】
（作用）
本発明に係るRS-232C信号遠隔伝送システムの作用を説明する。なお、ここでは、説明で使用する各構成要件に、後述する実施の形態において各部に付与した符号を対応させて付与するが、この符号は、あくまで内容の理解を容易にするためであって、各構成要件の意味を上記各部に限定するものではない。
【００１８】
RS-232C信号遠隔伝送システムによれば、延長側の信号としてデータ信号と制御信号を個別に設け、監視状態時には制御信号に例えば通信状態では使用しない高速のクロック情報を送信することにより、被監視側伝送中継装置(2)が遠隔監視状態に入ったと確認し、その状態を通知するために、通信状態と異なる複数の周波数のデータを返すことにより、被監視側伝送中継装置(2)を含む回線セグメントの状態（RS-232C状態)及び延長側の信号状態が監視側伝送中継装置(1)で識別できるようになる。
【００１９】
また、その信号状態の確認方法としては、監視側伝送中継装置(1)の表示LEDの点灯時間を変化させることにより識別する方法、又はIPを用いた監視装置との接続を可能にするインターフェイスを持たせることにより、遠隔地の監視装置からも監視できるようにする方法等がある。
【００２０】
FA等の用途では、制御時間が短いデータを頻繁にやり取りすることによりきめ細かな制御を実現しているが、監視機能を実現するためにCPUを介して実現しようとすると、変換のための時間が掛ることにより正常な制御が実現できないが、本発明のシステムによれば、前記のような伝送データに影響を与えずかつ簡易な方法によって高いレスポンスで遠隔監視を行うことができる。
【００２１】
RS-232C信号や延長側のRS-422信号の接続状態を監視するために、アイドル時はデータスペース「０」が連続しているが、通信時は調歩同期式ではデータスペース「０」状態とデータマーク「１」状態が繰り返されることから、データレートの最低速度をあらかじめ規定し、その時間分のデータマーク「１」状態が連続しても接続状態であると判断することにより、それぞれのインターフェイス機器の接続状態をモニターすることができる。
【００２２】
RS-232C信号でハードウェアフロー制御を実現するために様々な制御信号（CTS/RTS/DSR/DTR）が設定されているが、RS-232C信号を延長するために、制御信号を全て差動化すると必要な制御信号線が増えてしまうので、制御信号であるRTS/CTS信号をシングルエンド信号で伝送すると共に、下位側機器がアクティブになったことを送受信する制御信号であるDTR/DSR信号はRS-232C側及びRS-422側の信号受信状態にアクティブになるような変換を行い、信号の伝送を行わないようにした。
これにより、各伝送中継装置(1,2)間での信号の伝送を比較的少ない信号線で行うことができ、一般的に普及しているLANケーブル（UTPケーブル）を用いて、伝送中継装置(1,2)を使用した伝送距離の延長が可能になる。
【発明の効果】
【００２３】
本発明は、遠隔位置にあるRS-232C機器間で中継機器を介在させてRS-232C信号を伝送するシステムであって、一方側の回線セグメントに何らかの通信障害が生じて、両RS-232C機器間で通信ができなくなった場合、他方側の回線セグメントから遠隔位置にある側の回線セグメントの信号状態の情報を取得することができるようにした、RS-232C信号遠隔伝送システム及びそれに使用する伝送中継装置を提供することができる。
【図面の簡単な説明】
【００２４】
【図１】本発明に係るRS-232C信号遠隔伝送システムの構成を示す概念図。
【図２】本発明に係る伝送中継装置の外観を示す説明図で、（ａ）は正面図、（ｂ）は平面図、（ｃ）は背面図。
【図３】監視側伝送中継装置のブロック図。
【図４】被監視側伝送中継装置のブロック図。
【図５】伝送中継装置のRS-232C側の信号検出部のブロック図。
【図６】伝送中継装置のRS-422側の信号検出部のブロック図。
【図７】伝送中継装置のRS-232C側と延長側の回路構成を示す説明図。
【図８】RS-232C信号遠隔伝送システムの回路構成を示す説明図。
【発明を実施するための形態】
【００２５】
本発明を図面に示した実施の形態に基づき詳細に説明する。
【実施例】
【００２６】
図１を参照する。
RS-232C信号遠隔伝送システムＳは、監視側伝送中継装置１、被監視側伝送中継装置２、監視側伝送中継装置１と上位側のRS-232C機器６を接続するケーブル３、監視側伝送中継装置１と被監視側伝送中継装置２を接続するケーブル４、被監視側伝送中継装置２と下位側のRS-232C機器７を接続するケーブル５で構成されている。
【００２７】
本実施の形態では、上位側のRS-232C機器６がDCE機器で、下位側のRS-232C機器７がDTE機器である場合を例にとり説明するが、双方がDCE機器である場合もあるし、双方がDTE機器である場合もある。
【００２８】
図２を参照して、監視側伝送中継装置１の外観構造を説明する。
監視側伝送中継装置１は、ケース１０の正面にRS-232Cポート１１とRS-232Cポート状態表示LED１２及び延長ポート１３と延長ポート状態表示LED１４を備えている。また、RS-232Cポート１１の隣には、CTS切替スイッチ１５と監視設定スイッチ(Remote State Mode Switch)１６を備えている（図２（ａ）参照）。
【００２９】
ケース１０の上面には、RS-232Cポート状態表示LED１２ａ及び延長ポート状態表示LED１４ａを備えている。RS-232Cポート状態表示LED１２ａはRS-232Cポート状態表示LED１２と同じ表示をし、延長ポート状態表示LED１４ａは延長ポート状態表示LED１４と同じ表示をする。なお、符号１７は電源表示灯である（図２（ｂ）参照）。
【００３０】
ケース１０の背面には、ラックマウント用コネクタ１８とＤＣジャック１９を備えている（図２（ｃ）参照）。ラックマウント用コネクタ１８には、IP（インターネットプロトコル）を用いたインターフェイスを持つ監視装置（図示省略）を接続することができる。これにより、監視装置からIPネットワーク経由で通信障害の監視及び検出が可能となる。
【００３１】
被監視側伝送中継装置２は、監視側伝送中継装置１と同じ外観構造を有しているが、入出力インターフェイスの極性が異なっている。監視側伝送中継装置１と被監視側伝送中継装置２の各伝送中継装置は、接続するRS-232C機器がDTE機器であるかDCE機器であるかによって使い分けられる。
【００３２】
図３のブロック図を参照して、監視側伝送中継装置１の制御部について説明する。
符号１０１は、監視側伝送中継装置１が監視状態であることを被監視側伝送中継装置２に伝えるための監視モード信号に使用するクロック信号を作成する高速クロック作成部であり、符号１０２は、信号変換部を構成する信号切替部であり、これらによって監視状態通知部が構成される。
符号１０３は、被監視側伝送中継装置２から送信される複数の回答信号の分析を行い、信号の変化部を検出するためのDPLL(Digital Phase Lock Loop)である。また、符号１０４は、周波数を測定するためのカウンターである。
【００３３】
高速クロック作成部１０１は、内部の伝送信号よりもクロック周波数が高速の信号を作成することにより、監視される被監視側伝送中継装置２側で実データと識別できるようにし、遠隔監視設定になったことを検出した時にRTS信号を送信する。
また、監視側伝送中継装置１は、監視状態に入った時にCTS信号のクロック周波数を監視し、遠隔側機器である下位側のRS-232C機器７の信号状態を検出する。この検出結果は、前記各表示LED１２、１２ａ、１４、１４ａや、ラックマウント用コネクタ１８に接続される監視装置に状態を通知することで表すようにする。表示LED１２、１２ａ、１４、１４ａによる表示方法は、状態により点灯時間を変化させることにより行われる。
【００３４】
図４のブロック図を参照して、被監視側伝送中継装置２の監視状態検出部及び信号情報通知部について説明する。
符号２０３は、監視モード信号がRTS信号からきたことを検出するためのDPLLであり、符号２０４は、周波数を測定するためのカウンターであり、これらが監視状態検出部を構成する。また、符号２０５は、被監視側伝送中継装置２側の状態を通知するための複数の異なるクロック信号を作成する分周器であり、符号２０２は、信号切替部であり、これらが信号情報通知部を構成する。
【００３５】
被監視側伝送中継装置２は、RTS信号に実データよりも高周波数のクロック信号を検出した場合に、監視側伝送中継装置１が監視状態に入ったことを検出し、RS-232Cの結線状態やRS-232Cの制御信号状態を伝えるための複数の異なるクロック信号を分周器２０５によって作成し、監視側伝送中継装置１へ送信する。
【００３６】
図５を参照して、伝送中継装置１、２のRS-232C側の信号検出部を説明する。
RS-232C側の信号検出部は、RS-232C信号のデータマーク「１」状態である-15V〜-3Vを検出するためのコンパレータ１０５と、データスペース「０」状態である+3V〜+15Vを検出するためのRS-232Cレシーバー１０６からなる。
【００３７】
RS-232C側の信号検出部は、前記のようにデータマーク「１」状態はコンパレータ１０５で検出し、データスペース「０」状態はRS-232Cレシーバー１０６で検出する。RS-232Cレシーバー１０６で検出したデータマーク「１」信号は、信号受信状態を解除しないようにするため、通信状態で一定時間継続させてカウンター１０７の信号（時定数は最低ボーレートを参考に算出できる）を用い、この信号とコンパレータ１０５で検出したデータマーク「１」信号の２種類の信号のORを取ることによりRS-232Cの信号を検出できる。
【００３８】
図６を参照して、伝送中継装置１、２のRS-422側の信号検出部を説明する。
延長側のRS-422の信号検出部は、差動信号のデータマーク「１」状態及びデータスペース「０」状態を検出するために、RS-422レシーバーからの入力信号であるRXD+/RXD-信号が通常の状態と+/-を入れ替えた状態の２種類の信号のORを取ることによりRS-422の信号を検出できる。
【００３９】
なお、データマーク「１」状態とデータスペース「０」状態の変動時間がかかる場合には、グリッチ（電子回路中に現れる接触不良などに伴うノイズ）が発生するために、RS-232C側と同様にカウンター１０８にて信号状態を持続（時定数は最低ボーレートの立ち上がり/下がりから算出できる）させてからORを取るようにする。
【００４０】
図７を参照して、伝送中継装置１、２のRS-232C側と延長側の回路構成を説明する。
RS-232C信号は制御信号としてCTS/RTS信号がある。これらの信号は、延長側で差動化せずに、RS-232C信号のまま伝送しても信号の変動が少ないため、問題なく遠隔伝送（長距離間での伝送）が可能である。したがって、CTS/RTS信号をRS-232Cレベル変換ICを使用してシングルエンド信号であるTTL(LVTTL)レベルに一旦変換した後に、再度RS-232C信号に変換することによって伝送が可能である。
【００４１】
また、DTR/DSR信号は、RS-232C信号が送信状態になった時点でアクティブになるため、RS-232C信号の受信状態を検出し、かつRS-422信号を検出した時点でアクティブとすることにより、伝送するための信号線を削減できる。
詳しくは、まずシングルエンド信号の伝送では、使用する信号線はn本+Gnd線でよいが、差動信号の伝送では2n+Gnd線が必要になり、単純に差動信号化を行った場合には必要な信号線が増大する。
【００４２】
そこで、本実施の形態では、高速伝送が必要なデータ信号は差動化してRS-422信号とし、低速（データ信号の1/10倍以下）な制御信号であるCTS/RTS信号については、RS-232C信号をそのまま伝送しても遠隔伝送可能なため、差動化しないようにした。
さらに、下位側のRS-232C機器７がアクティブになったことを送受信するDTR/DSR信号については、RS-232C信号検出回路及びRS-422信号検出回路にて端末／モデムそれぞれより信号が来ていることを検出できるようにして、その信号を代用するようにし、DTR/DSR信号の伝送を行わないようにした。
【００４３】
これによって、データ信号用として４本＋制御信号用として２本+Gnd１本の合計７本の信号線によるRS-232C信号の遠隔伝送が可能になり、したがって、通常のLANケーブル（UTPケーブル）を使用した接続が可能になった。
【００４４】
次に、図８を参照して、RS-232C信号遠隔伝送システムＳの信号の流れを説明する。
通常のデータ伝送時には、RTS信号は一旦RS-232C信号よりTTL(Logic)信号に変換した後に再度232C信号に変換することにより遠隔伝送を行っている。
また、高速なデータ信号であるTXD信号は、RS-232C信号からTTL信号に変換した後に差動信号であるRS-422信号に変換して遠隔伝送を行う。
【００４５】
RTS信号は、受信側の被監視側伝送中継装置２ではCTS信号として受信し、RS-232C信号からTTL信号に変換した後に再度RS-232C機器側で認識できるようにRS-232C信号に変換する。
また、TXD信号は、被監視側伝送中継装置２ではRXD信号として受信し、RS-422信号からTTL信号に変換した後にRS-232C機器側で認識できるようにRS-232C信号に変換する。これによりデータ信号及び制御信号(CTS/RTS信号)の遠隔伝送を行うことができる。
【００４６】
次に、監視側伝送中継装置１側で遠隔側の信号状態を監視する機能について説明する。
まず、監視側伝送中継装置１の監視設定スイッチ１６のＯＮ操作により、監視を行う監視側伝送中継装置１側から、図３の上部に詳細を表した遠隔監視状態通知回路（監視状態通知部を構成）により、遠隔監視状態であることを通知する監視モード信号を被監視側伝送中継装置２側にRTS信号を用いて伝送する。なお、制御信号線を使用する監視中もデータ信号は問題なく伝送することができる。
【００４７】
監視モード信号をCTS信号として受け取った被監視側伝送中継装置２は、それを図８の上部に詳細を表した遠隔監視状態通知信号検出回路（監視状態検出部を構成）によって検出すると、通常のCTS/RTS信号の伝送を停止する。そして、図８の下部に詳細を表した遠隔状態回答信号作成回路によって作成した下位側のRS-232C機器７を含む回線セグメントの信号状態の情報である回答信号を監視側伝送中継装置１側にRTS信号を用いて送信する。
【００４８】
それをCTS信号として受け取った監視側伝送中継装置１は、図３の下部に詳細を表した遠隔状態信号検出回路によって遠隔側である被監視側伝送中継装置２側の信号状態の検出を行い、表示LED１２、１２ａ、１４、１４ａや監視装置への信号伝送を行う。
【００４９】
本実施の形態では、監視側伝送中継装置１のRS-232Cポート状態表示LED１２は、通常時において、監視側伝送中継装置１、被監視側伝送中継装置２、上位側のRS-232C機器６及び下位側のRS-232C機器７のリンクアップ時に点灯し、通信時に点滅する。また、監視時には対向側（被監視側伝送中継装置２側）のRS-232Cポート状態表示LED１２とのリンクアップ時に点灯し、対向側からのRTS信号がOFFの時に低速点滅し、対向側のRS-232Cポート状態表示LED１２とのリンクダウン時に高速点滅する。なお、対向側のRS-232Cポート状態表示LED１２はデータ送受信時に点灯する。
【００５０】
また、監視側伝送中継装置１の延長ポート状態表示LED１４は、通常時において各機器１、２、６、７のリンクアップ時に点灯し、通信時に高速点滅する。監視時には対向側の延長ポート状態表示LED１４とのリンクアップ時に点灯する。対向側の延長ポート状態表示LED１４は被監視時に低速点滅する。なお、前記点滅の態様は、これに限定されるものではなく、適宜設定が可能である。
【００５１】
遠隔監視状態の解除については、監視側伝送中継装置１側の監視設定スイッチ１６のＯＦＦ操作により解除される。なお、信号状態の検出は、RS232C側の信号については図５に記した回路を、RS422側の信号については図６に記した回路を用いて行っている。
【００５２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００５３】
Ｓ  RS-232C信号遠隔伝送システム
１  監視側伝送中継装置
１０  ケース
１１  RS-232Cポート
１２  RS-232Cポート状態表示LED
１２ａ  RS-232Cポート状態表示LED
１３  延長ポート
１４  延長ポート状態表示LED
１４ａ  延長ポート状態表示LED
１５  CTS切替スイッチ
１６  監視設定スイッチ
１７  電源表示灯
１８  ラックマウント用コネクタ
１９  DCジャック
１０１  高速クロック作成部
１０２  信号切替部
１０３  DPLL
１０４  カウンター
１０５  コンパレータ
１０６  RS-232Cレシーバー
１０７  カウンター
１０８  カウンター
２  被監視側伝送中継装置
２０２  信号切替部
２０３  DPLL
２０４  カウンター
２０５  分周器
３  ケーブル
４  ケーブル
５  ケーブル
６  上位側RS-232C機器
７  下位側RS-232C機器
【図１】
0005395593.tif 000002
【図２】
0005395593.tif 000003
【図３】
0005395593.tif 000004
【図４】
0005395593.tif 000005
【図５】
0005395593.tif 000006
【図６】
0005395593.tif 000007
【図７】
0005395593.tif 000008
【図８】
0005395593.tif 000009